(57)【要約】【課題】プラスチック製の容器内に巻き込んで収納された巻回クッキングペーパーを容器外へ引き出して切断する際、より確実に切断することができる巻回クッキングペーパーの収納体を提供する。【解決手段】クッキングペーパー収納体１は、透明又は半透明のプラスチックシートからなる一枚のブランクを組み立てて形成され本体４と蓋体５とを有する開閉自在な箱体３と、箱体３に設けられたカッター６と、を備えた収納容器２と、箱体３内部に巻き込んで収納された巻芯のない巻回クッキングペーパー７と、を備え、開蓋状態において箱体３内部から引き出された巻回クッキングペーパー７の一部７１を閉蓋状態においてカッター６で切断するよう構成されている。箱体３内部に収納された巻回クッキングペーパー７の外周面７２が、閉蓋状態において箱体３の対向する内面４１ａ及び４３ａ、並びに、４２ａ及び５４ａに平面で接する。【選択図】  図４
2013086831.tif 000002
【特許請求の範囲】
【請求項１】
透明又は半透明のプラスチックシートからなる一枚のブランクを組み立てて形成され本体と蓋体とを有する開閉自在な箱体と、当該箱体に設けられたカッターと、を備えた収納容器と、
前記箱体内部に巻き込んで収納された巻芯のない巻回クッキングペーパーと、
を備え、
開蓋状態において前記箱体内部から引き出された巻回クッキングペーパーの一部を閉蓋状態において前記カッターで切断するよう構成されたクッキングペーパー収納体であって、
前記箱体内部に収納された巻回クッキングペーパーの外周面が、閉蓋状態において前記箱体の対向する内面に平面で接するよう構成したこと、
を特徴とするクッキングペーパー収納体。
【請求項２】
請求項１のクッキングペーパー収納体において、
閉蓋状態において前記箱体の対向する２対の内面間の距離が相異なるよう構成したこと、
を特徴とするもの。
【請求項３】
請求項１又は２のクッキングペーパー収納体において、
前記巻回クッキングペーパーの両端内側に、断面が略矩形状の形状維持部材を挿入し、閉蓋時において当該形状維持部材と前記箱体の対向する２対の内面との間で巻回クッキングペーパーが略矩形環状を維持するよう構成したこと、
を特徴とするもの。
【発明の詳細な説明】
【技術分野】
【０００１】
この発明は、シリコンコーティング紙、グラシン紙、ワックス紙等、耐油性、撥水性、剥離性を有し、食品の調理、包装等に用いられるクッキングペーパーの収納体に関し、とくに、容器内に巻き込んで収納され、当該容器から必要な長さを取り出し切断した上で使用に供される巻芯のない巻回クッキングペーパーの収納体に関する。
【背景技術】
【０００２】
巻芯のない巻回クッキングペーパーの収納体に関し、特許文献１の図２に示すクッキングペーパー包装体が提案されている。このクッキングペーパー包装体は、本体前面部の上端から本体の内方に屈曲されて延出した折り曲げ片を設けることで紙箱を補強し、これにより、紙箱外へ引き出したクッキングペーパーを蓋前面部上から押さえ付けながら切断する際の押さえ付け力によって紙箱が変形したり潰れたりしないようにし、もって、巻芯のないクッキングペーパーであっても、より良好な切断性を維持しようとするものである。
【０００３】
しかし、クッキングペーパーは表面滑性に富む（ＪＩＳ・Ｐ８１１９による平滑度が一般的に１０〜２５秒程度）ため滑りやすいことから、容器が紙製の場合に上記技術を適用することができたとしても、容器が紙より滑りやすいプラスチックの場合に上記技術を適用し、容器外へ引き出したクッキングペーパーを本体前面部と蓋前面部との間に挟み、蓋前面部上からの押さえ付け力だけで滑り出ないよう固定するのは困難である。すなわち、容器がプラスチック製の場合、クッキングペーパーを固定し確実に切断することは容易でない。
【０００４】
その一方、クッキングペーパーとして、印刷等により各種模様を付したものが知られており、このようなクッキングペーパーを収納するにあたり、内容物の模様等を容器の外から目視にて確認できる容器として、透明あるいは半透明のプラスチックシートを打ち抜いて組み立てた箱型容器を用いることが望ましい。
【先行技術文献】
【特許文献】
【０００５】
【特許文献１】特開２０００−６２７６５号公報
【発明の概要】
【発明が解決しようとする課題】
【０００６】
この発明は、このような従来技術における問題点を解決し、プラスチック製の容器内に巻き込んで収納された巻回クッキングペーパーを容器外へ引き出して切断する際、より確実に切断することができる巻回クッキングペーパーの収納体を提供することを目的とする。
【課題を解決するための手段】
【０００７】
この発明によるクッキングペーパー収納体は、透明又は半透明のプラスチックシートからなる一枚のブランクを組み立てて形成され本体と蓋体とを有する開閉自在な箱体と、当該箱体に設けられたカッターと、を備えた収納容器と、前記箱体内部に巻き込んで収納された巻芯のない巻回クッキングペーパーと、を備え、開蓋状態において前記箱体内部から引き出された巻回クッキングペーパーの一部を閉蓋状態において前記カッターで切断するよう構成されたクッキングペーパー収納体であって、前記箱体内部に収納された巻回クッキングペーパーの外周面が、閉蓋状態において前記箱体の対向する内面に平面で接するよう構成したこと、を特徴とする。
【０００８】
本発明の特徴は、上記のように広く示すことができるが、その構成や内容は、目的および特徴とともに、図面を考慮に入れた上で、以下の開示によりさらに明らかになるであろう。
【発明の効果】
【０００９】
本願の第１発明によるクッキングペーパー収納体は、透明又は半透明のプラスチックシートからなる一枚のブランクを組み立てて形成され本体と蓋体とを有する開閉自在な箱体と、当該箱体に設けられたカッターと、を備えた収納容器と、前記箱体内部に巻き込んで収納された巻芯のない巻回クッキングペーパーと、を備え、開蓋状態において前記箱体内部から引き出された巻回クッキングペーパーの一部を閉蓋状態において前記カッターで切断するよう構成されたクッキングペーパー収納体である。そして、前記箱体内部に収納された巻回クッキングペーパーの外周面が、閉蓋状態において前記箱体の対向する内面に平面で接するよう構成されている。
【００１０】
箱体内部に収納された巻回クッキングペーパーの外周面が、閉蓋状態において箱体の対向する内面に平面で接するよう構成することで、閉蓋状態における巻回クッキングペーパーの断面形状は、対向する２直線を有する非円形環状となる。また、これに伴い、収納されている巻回クッキングペーパーの外周面と、箱体の対向する内面との接触面積も大きくなる。
【００１１】
本体内部から引き出された巻回クッキングペーパーの一部を、閉蓋状態においてさらに引き出すためには、箱体の内面に内接する非円形環状断面の巻回クッキングペーパーを形を変えつつ回転させなければならないが、この際、回転に伴う巻回クッキングペーパー自身の変形抵抗と、巻回クッキングペーパーの外周面と箱体の内面との摩擦抵抗とを加算した引き出し抵抗が生ずるため、容易に引き出すことはできない。
【００１２】
この引き出し抵抗を利用することで、閉蓋状態においてそれ以上巻回クッキングペーパーが引き出されることを防止でき、これにより、巻回クッキングペーパーをより確実にカッターで切断することができる。
【００１３】
すなわち、プラスチック製の容器内に巻き込んで収納されたクッキングペーパーを収納容器外へ引き出して切断する際、より確実に切断することができる巻回クッキングペーパーの収納体を実現することができる。
【００１４】
本願の第２発明によるクッキングペーパー収納体は、上記第１発明によるクッキングペーパー収納体において、閉蓋状態において箱体の対向する２対の内面間の距離が相異なるよう構成したこと、を特徴とする。
【００１５】
したがって、閉蓋状態における巻回クッキングペーパーの断面形状は扁平な非円形環状断面となり、回転に伴う巻回クッキングペーパー自身の変形抵抗がさらに増加する。このため、より大きい引き出し抵抗が生ずる。
【００１６】
本願の第３発明によるクッキングペーパー収納体は、上記第１又は第２発明によるクッキングペーパー収納体において、巻回クッキングペーパーの両端内側に、断面が略矩形状の形状維持部材を挿入し、閉蓋時において当該形状維持部材と箱体の対向する２対の内面との間で巻回クッキングペーパーが略矩形環状を維持するよう構成したこと、を特徴とする。
【００１７】
したがって、引き出し抵抗には、さらに、巻回クッキングペーパーの内周面と形状維持部材の外面との摩擦抵抗が加算される。このため、より大きい引き出し抵抗が生ずる。
【００１８】
また、収納されている巻回クッキングペーパーの量がもともと少ない場合や、使用により少なくなった場合であっても、閉蓋時において当該形状維持部材と箱体の対向する２対の内面との間で巻回クッキングペーパーが略矩形環状を維持することができる。このため、このような場合であっても、大きい引き出し抵抗を維持することが可能となる。
【図面の簡単な説明】
【００１９】
【図１】図１は、開蓋状態におけるクッキングペーパー収納体１を示す斜視図である。
【図２】図２は、クッキングペーパー収納体１の箱体３を形成するためのブランク８を示す平面図である。
【図３】図３は、クッキングペーパー収納体１の開蓋状態における断面図であって、巻回クッキングペーパー７の巻回軸（Ｘ方向の軸）に直行する断面（ＹＺ断面）を示す図面である。
【図４】図４は、クッキングペーパー収納体１の閉蓋状態における断面図であって、ＹＺ断面を示す図面である。
【図５】図５は、クッキングペーパー収納体１０１の閉蓋状態における断面図であって、上記クッキングペーパー収納体１における図４と同様の図面である。
【図６】図６は、図５におけるＶＩ−ＶＩ線断面を示す図面である。
【図７】図７は、クッキングペーパー収納体１０１に用いられる形状維持部材９を示す斜視図である。
【発明を実施するための形態】
【００２０】
まず、この発明の第１の実施形態によるクッキングペーパー収納体１について説明する。
【００２１】
図１は、開蓋状態におけるクッキングペーパー収納体１を示す斜視図である。図２は、クッキングペーパー収納体１の箱体３を形成するためのブランク８を示す平面図である。図３は、クッキングペーパー収納体１の開蓋状態における断面図であって、巻回クッキングペーパー７の巻回軸（Ｘ方向の軸）に直行する断面（ＹＺ断面）を示す図面である。図４は、クッキングペーパー収納体１の閉蓋状態における断面図であって、ＹＺ断面を示す図面である。
【００２２】
図１〜図４に示すように、クッキングペーパー収納体１は、透明又は半透明のプラスチックシートからなる一枚のブランク８を組み立てて形成され本体４と蓋体５とを有する開閉自在な箱体３と、当該箱体３に設けられたカッター６と、を備えた収納容器２と、箱体３内部に巻き込んで収納された巻芯のない長尺の巻回クッキングペーパー７と、を備え、開蓋状態において箱体３内部から引き出された巻回クッキングペーパー７の一部７１を閉蓋状態においてカッター６で切断するよう構成されている。そして、箱体３内部に収納された巻回クッキングペーパー７の外周面７２が、閉蓋状態において箱体３の対向する内面に平面で接するよう構成されている。
【００２３】
ブランク８を構成するプラスチックシートの材質はとくに限定されるものではないが、たとえばＰＰ（ポリプロピレン）樹脂、ＰＥＴ（ポリエチレンテレフタレート）樹脂が用いられる。プラスチックシートの厚さはとくに限定されるものではないが、０．２〜０．８ｍｍ程度のものが好ましい。プラスチックシートの厚さが薄すぎると箱体３の剛性が小さくなりすぎ、逆に厚くなりすぎると光の透過度が小さくなるとともに本体４と蓋体５との接続部分（ヒンジ部分）の繰り返し曲げ耐性が低下し、かつ、材料コストも高くなるからである。この例では、ブランク８を構成するプラスチックシートとして、厚さ０．３ｍｍのＰＰ樹脂シートを用いている。
【００２４】
図１、図４に示すように、箱体３は、閉蓋状態における基本形状が直交６面体の箱状になるよう構成されている。
【００２５】
本体４は、前板４１、底板４２、後板４３、右側板４５、左側板４６を備え、開蓋状態において上部が開口部４４として開放されるよう構成されている。
【００２６】
蓋体５は、後板４３の上縁４３ｃから回動可能に連接され開口部４４を開閉する上蓋５４と、上蓋５４の前縁５４ｃに連接され閉蓋時に前板４１に沿って前板４１の外側を覆うよう配置される前蓋５１と、を備えている。
【００２７】
蓋体５は、さらに、上蓋５４の右縁５４ｅ及び前蓋５１の右縁５１ｅに結合され閉蓋時に右側板４５に沿って右側板４５の外側を覆うよう配置される右側蓋５５と、上蓋５４の左縁５４ｆ及び前蓋５１の左縁５１ｆに結合され閉蓋時に左側板４６に沿って左側板４６の外側を覆うよう配置される左側蓋５６と、を備えている。
【００２８】
なお、本体４の右側板４５は、前板４１、底板４２、後板４３の右縁４１ｅ、４２ｅ、４３ｅにそれぞれ連接された右側板形成板４５ｇ、４５ｈ、４５ｉ（図２参照）を機械的結合、及び／又は、接着等により結合して構成されている。
【００２９】
同様に、左側板４６は、前板４１、底板４２、後板４３の左縁４１ｆ、４２ｆ、４３ｆにそれぞれ連接された左側板形成板４６ｇ、４６ｈ、４６ｉを機械的結合、及び／又は、接着等により結合して構成されている。
【００３０】
また、蓋体５の右側蓋５５は、上蓋５４、前蓋５１の右縁５４ｅ、５１ｅにそれぞれ連接された右側蓋形成板５５ｇ、５５ｈを機械的結合、及び／又は、接着等により結合して構成されている。
【００３１】
同様に、左側蓋５６は、上蓋５４、前蓋５１の左縁５４ｆ、５１ｆにそれぞれ連接された左側蓋形成板５６ｇ、５６ｈを機械的結合、及び／又は、接着等により結合して構成されている。
【００３２】
カッター６は、金属又は合成樹脂等により構成され、たとえば鋸刃状の鋭利な刃先６１を備えている。カッター６は、刃先６１が前蓋５１の下縁５１ｄから下方（図４のＺ２方向）に露出するよう、前蓋５１の内面５１ａに、機械的結合、及び／又は、接着等により装着されている。
【００３３】
なお、出荷時において、前蓋５１の下縁５１ｄにはミシン目５１ｇを介してカッター覆い板５１ｈが連接されているが（図２参照）、使用時にはユーザーによって、カッター覆い板５１ｈがミシン目５１ｇから切り取られ、図１のようになる。
【００３４】
また、図４に示すように、この実施形態においては、閉蓋状態において箱体３の対向する２対の内面間の距離Ｄ、Ｈが相異なるよう構成されている。Ｄ：ＨあるいはＨ：Ｄの比（＞１）はとくに限定されるものではないが、１．１〜５が好ましく、より好ましくは１．２〜３、さらに好ましくは、１．３〜２である。
【００３５】
この比が大きいほど内装される巻回クッキングペーパー７の扁平率が大きくなり、閉蓋状態における引き出し抵抗が増大するため好ましいが、あまり大きすぎると開蓋状態における引き出し抵抗も過大となる等の不具合も生ずるからである。
【００３６】
この例ではＤ：Ｈの比を１．３３（４０ｍｍ：３０ｍｍ）としている。この例のように、Ｄ＞Ｈとすると、店頭展示時、使用時における載置安定性が増すので好都合である。
【００３７】
図４に示すように、閉蓋状態において、箱体３内部に収納された巻回クッキングペーパー７の外周面７２が、箱体３の対向する２対の内面、すなわち、前板４１及び後板４３のそれぞれの内面４１ａ及び４３ａ、並びに、底板４２及び上蓋５４のそれぞれの内面４２ａ及び５４ａと、平面で接するよう構成されている。
【００３８】
図４における箱体３の対向する２対の内面間の距離Ｄ、Ｈと、当該内面と巻回クッキングペーパー７の外周面７２との接触長さｄ、ｈとの比はとくに限定されるものではないが、ｄ／Ｄ及びｈ／Ｈのうちより大きいものが、好ましくは０．２〜０．９、より好ましくは０．３〜０．８、より好ましくは０．５〜０．８である。
【００３９】
この比が大きいほど箱体３の対向する内面と巻回クッキングペーパー７の外周面７２との接触面積が大きくなり、閉蓋状態における引き出し抵抗が増大するため好ましいが、あまり大きすぎると開蓋状態における引き出し抵抗も過大となる等の不具合も生ずるからである。
【００４０】
この例ではｄ／Ｄ及びｈ／Ｈを、いずれも０．７程度としている。なお、ｄ／Ｄ及びｈ／Ｈの一方を他方より小さく（極端にいえば一方を０に）するよう構成することもできる。
【００４１】
つぎに、このクッキングペーパー収納体１から所望長さのクッキングペーパーを切り出す手順について説明する。
【００４２】
まず、図３に示すように、蓋体５を開け、本体４内部に収納されている巻回クッキングペーパー７の端部７３を持ちＹ２方向に引っ張ることで、巻回クッキングペーパー７の一部７１を引き出す。
【００４３】
所望長さのクッキングペーパーを引き出した後、図４に示すように、蓋体５を閉め、つぎに、前蓋５１の外面５１ｂをＹ１方向に押圧することで、本体４内部から引き出された巻回クッキングペーパー７の一部７１を前板４１の外面４１ｂと、前蓋５１の内面５１ａ、及び／又は、前蓋５１の内面５１ａに装着されたカッター６の露出面６ａ（以下、「前蓋５１の内面５１ａ等」という。）との間に挟持する。この状態から、巻回クッキングペーパー７の端部７３を引っ張りつつＲ１方向に回転させることで、引き出された巻回クッキングペーパー７の一部７１をカッター６により切断する。
【００４４】
上述のように、閉蓋状態において、箱体３内部に収納された巻回クッキングペーパー７の外周面７２が箱体３の対向する２対の内面４１ａ及び４３ａ、並びに、４２ａ及び５４ａに平面で接するよう構成されているから、閉蓋状態における巻回クッキングペーパー７の断面形状は、略矩形形環状となる。また、これに伴い、収納されている巻回クッキングペーパー７の外周面７２と、箱体３の対向する２対の内面４１ａ及び４３ａ、並びに、４２ａ及び５４ａとの接触面積も大きいものとなっている。
【００４５】
このため、図４に示す閉蓋状態において、巻回クッキングペーパー７の端部７３をＺ２方向に引き出そうとしても、巻回クッキングペーパー７自身の変形抵抗と、巻回クッキングペーパー７の外周面７２と箱体３の対向する２対の内面４１ａ及び４３ａ、並びに、４２ａ及び５４ａとの摩擦抵抗とを加算した引き出し抵抗が生ずる。実際には、この引き出し抵抗には、さらに、前板４１の外面４１ｂ及び前蓋５１の内面５１ａ等と、これらの間に挟持された巻回クッキングペーパー７の一部７１に作用する摩擦抵抗が加算され、より大きい抵抗となる。
【００４６】
このため、巻回クッキングペーパー７の端部７３を引っ張りつつＲ１方向に回転させる際に、巻回クッキングペーパー７の一部７１がさらに引き出されてしまうことを防止することができ、巻回クッキングペーパー７をより確実にカッター６で切断することができる。
【００４７】
なお、上述の実施形態においては、閉蓋状態において箱体の対向する２対の内面間の距離が相異なるよう構成した場合を例に説明したが、この発明はこれに限定されるものではない。たとえば、閉蓋状態において箱体の対向する２対の内面間の距離が相等しくなるよう構成した場合にも適用することができる。
【００４８】
つぎに、この発明の第２の実施形態によるクッキングペーパー収納体１０１について説明する。
【００４９】
図５は、クッキングペーパー収納体１０１の閉蓋状態における断面図であって、上記クッキングペーパー収納体１における図４と同様の図面である。図６は、図５におけるＶＩ−ＶＩ線断面を示す図面である。図７は、クッキングペーパー収納体１０１に用いられる形状維持部材９を示す斜視図である。
【００５０】
図５〜図７に示すように、クッキングペーパー収納体１０１は、巻回クッキングペーパー７の両端内側に、断面が略矩形状の形状維持部材９を挿入し、閉蓋時において当該形状維持部材９と、箱体３の対向する２対の内面内面４１ａ及び４３ａ、並びに、４２ａ及び５４ａとの間で、巻回クッキングペーパー７が略矩形環状を維持するよう構成されている。
【００５１】
図７に示すように、形状維持部材９は、中空略矩形筒状の胴部９１の一端にフランジ９３を設けてなる。形状維持部材９の材質はとくに限定されるものではないが、たとえば、合成樹脂により構成される。
【００５２】
図６に示すように、形状維持部材９は、巻回クッキングペーパー７の両端において、その内周面７４に形状維持部材９の胴部９１の外周面９２が接するよう、挿入されている。形状維持部材９のフランジ９３の胴部側端面９４は巻回クッキングペーパー７の端面７５に当接し、フランジ９３の外周面９５は、箱体３の内面４１ａ及び４３ａ、並びに、４２ａ及び５４ａに当接又は近接するよう構成されている。
【００５３】
このため、図５に示すように、箱体３の対向する２対の内面内面４１ａ及び４３ａ、並びに、４２ａ及び５４ａとの間で、巻回クッキングペーパー７が略矩形環状を維持することを強制され、カッター６で巻回クッキングペーパー７を切断する際の引き出し抵抗には、さらに、巻回クッキングペーパー７の内周面７４と形状維持部材９の胴部９１の外周面９２との摩擦抵抗が加算される。この結果、より大きい引き出し抵抗が生ずる。
【００５４】
また、収納されている巻回クッキングペーパー７の量がもともと少ない場合や、使用により少なくなった場合であっても、巻回クッキングペーパー７が略矩形環状を維持することが容易となり、大きい引き出し抵抗を維持することが可能となる。
【００５５】
クッキングペーパー収納体１０１のその余の構成はクッキングペーパー収納体１と同様である。また、クッキングペーパー収納体１におけるバリエーションは、その性質上クッキングペーパー収納体１０１に適用できないものを除き、クッキングペーパー収納体１０１にも適用される。なお、原則として、明細書及び図面において、同一の符号を付したクッキングペーパー収納体１の構成部分に関する説明は、そのままクッキングペーパー収納体１０１における同一機能を有する構成部分に関する説明として適用するものとする。
【００５６】
上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。また、上記においては、本発明のいくつかの典型的な実施形態についてのみ詳細に記述したが、当業者であれば、本発明の新規な教示および利点を逸脱することなしに上記典型的な実施形態において多くの変更が可能であることを、容易に認識するであろう。したがって、そのような変更はすべて、本発明の範囲に含まれるものである。
【符号の説明】
【００５７】
１：クッキングペーパー収納体
２：収納容器
３：箱体
４：本体
５：蓋体
６：カッター
７：巻回クッキングペーパー
４１ａ：箱体の内面
４２ａ：箱体の内面
４３ａ：箱体の内面
５４ａ：箱体の内面
７１：巻回クッキングペーパーの一部
７２：巻回クッキングペーパーの外周面
特許出願人  株式会社アルテム
出願人代理人  弁理士  田川  幸一
【図１】
2013086831.tif 000003
【図２】
2013086831.tif 000004
【図３】
2013086831.tif 000005
【図４】
2013086831.tif 000006
【図５】
2013086831.tif 000007
【図６】
2013086831.tif 000008
【図７】
2013086831.tif 000009